(57)【要約】      （修正有）【課題】蛇の昇塔によって生じる電線間の短絡事故、電線と地表間の地絡事故を抑制することができる疑似卵を提供する。【解決手段】蛇は、野鳥の卵等を狙って昇塔するので、疑似卵３を鉄塔１の低い位置に設置し、蛇が電線２の位置まで昇塔させない。蛇には昼行性と夜行性の蛇があり、視力が低い、赤外線の感知能力を有する蛇の性質を利用して、疑似卵３には多くの赤外線が発生できるように、内部に蓄熱材５と電気ヒータを有し、太陽光発電パネルからの電力を電気ヒータに通電して高温にする。夜間も高温に保つように、蓄熱材５を有している。【選択図】図１
2015198631.tif 000002
【特許請求の範囲】
【請求項１】
太陽光発電素子と結線されている発熱素子、この発熱素子を内部に有し液体又は潜熱蓄熱材又はゾル又はゲルが充填されていることを特徴とする蛇が鳥類の生卵と誤解する疑似卵。
【請求項２】
前記液体は水であり、前記蓄熱材は塩化カルシウム水和物又は硫酸ナトリウム水和物又はチオ硫酸ナトリウム水和物又は酢酸ナトリウム水和物又はパラフィンであることを特徴とする蛇が鳥類の生卵と誤解する疑似卵。
【発明の詳細な説明】
【技術分野】
【０００１】本発明は、鳥類の疑似卵に関する。
【背景技術】
【０００２】送電線を支える鉄塔や配電線を支える電柱において、上部にあるカラスの卵やひなを狙って昇塔や昇柱する蛇が電線に接触し、これにより、電線間の短絡事故、電線と地表の間の地絡事故を発生することがある。この短絡事故や地絡事故は、電力設備を破損させ、電力供給停止による生産活動や日常生活を停止させる損害を与える。これらの損害を防止するため、従来から、蛇の昇塔や昇柱を防止する様々な装置の開発や工夫が行われてきた。【０００３】例えば、下記する特許文献１において、電柱の表面に粘着テープを周回状に貼り付け、更に、該粘着テープの上に碗形状の昇柱防止具を取り付けた蛇や野ねずみ等の昇塔及び昇柱防止装置が記載されている。【０００４】また、下記する特許文献２において、昇柱しようとする蛇や野ねずみを落下させるように一部を逆円錐状にした電柱が記載されている。【０００５】また、下記する特許文献３においては、鉄塔の脚部の周囲に回転体を複数設置し、この回転体の上に乗ると回転体が回転するようにして、蛇や野ねずみ等を落下させる装置が記載されている。【０００６】しかし、これらの従来技術の昇塔防止や昇柱防止の装置や方法では、蛇の昇塔や昇柱による短絡事故や地絡事故を防止する課題が十分解決されておらず、問題が残されている。
【先行技術文献】
【特許文献】
【０００７】
【特許文献１】特開平５−２３１０４４号公報
【特許文献２】特開２００５−３０７４３４号公報
【特許文献３】特開２０１３−１７６１８１号公報
【発明の概要】
【発明が解決しようとする課題】
【０００８】解決しようとする課題は、蛇が電線まで昇塔することを防止する方法を提供することにある。
【課題を解決するための手段】
【００１０】上記課題は、蛇が鳥類の生卵と誤解する疑似卵を鉄塔の下部又は鉄塔周囲の地表に設置することにより、蛇を疑似卵に誘導し、電線までの昇塔をなくすことにより、解決する。【００１１】蛇は可視光及び赤外光を感じることができることから、疑似卵は、形状及び表面材質を生卵に類似させることに加えて、発熱するようにしたものである。【００１２】模擬卵からの発熱は、内部に発熱素子を取り付け、太陽光発電素子で発電した電力をこの抵抗発熱体内に通電することで達成する。また、夜間においても模擬卵から発熱が続くように、発熱素子の回りを蓄熱材で充填し、模擬卵の温度が長時間高温に保たれるようにする。
【発明の効果】
【００１３】本発明によって、カラスの卵やひなを狙って地上より昇塔する蛇は、地表面又は鉄塔の低い位置にある模擬卵によって誘導され、電線の位置まで昇塔することがなくり、電線間の短絡事故、電線と地表の間の地絡事故がなくす効果が得られる。この短絡事故や地絡事故がなくなれば、電力設備の破損及び電力供給停止による生産活動や日常生活を停止させる損害をなくすことができる効果が得られる。
【図面の簡単な説明】
【００１４】
【図１】図１は、本発明の一実施例による模擬卵の構成とそのときの模擬卵の設置状況を示す概略図である。
【図２】図２は、本発明の一実施例による模擬卵内部の温度変化の測定の一例示す図である。
【発明を実施するための形態】
【実施例１】
【００１５】図１に示す本発明の一実施例による模擬卵は、概略、模擬卵本体３と配線７と太陽光発電素子８から構成される。模擬卵本体３は、主に、外殻４、蓄熱材５、抵抗発熱素子６から構成される。【００１６】外殻４は、形状が卵形又は球形とし、この材質にはプラスチック、紙、木、ゴム、金属、セラミックが適している。外殻４の表面に粉状にした鶏卵やその他鳥類の殻を貼る。鶏卵の殻をプラスチック容器の表面に貼るときに使用する接着材には、卵白、ニカワ、化学樹脂接着剤が適している。【００１７】蓄熱材５には、比熱値が大きい水又は融解潜熱値が大きい、塩化カルシウム水和物又は硫酸ナトリウム水和物又はチオ硫酸ナトリウム水和物又は酢酸ナトリウム水和物又はパラフィンが適している。【００１８】発熱素子６には、市販されている炭素皮膜抵抗素子、金属皮膜抵抗素子、酸化金属皮膜抵抗素子、セメント抵抗素子等を使用できる。【００１９】図２に、本発明の一実施例になる疑似卵内部の夏期における温度変化の一例を示す。このときの疑似卵３は、外殻４が、長径が５センチメートル、短径が４センチメートル、厚さ約１ミリメートルの卵状のプラスチック容器の表面に、鶏卵の殻を卵白に接着剤に用いて貼りつけている。蓄熱材５にはパラフィンを、抵抗発熱素子６には２オームの炭素皮膜抵抗素子を使用し、公称１Ｗの太陽光発電素子８と配線７で結ばれている。【００２０】本発明の一実施例において、夏期の日中における疑似卵３内の温度は、日没時近くの時間に最高温度の９０℃になり、このときの外気温度は２８℃であった。また、最低が夜明け時近くの時間に最低温度の３１度になり、このときの外気温度は２６℃であった。２０時頃から１時頃まで、疑似卵３内の温度は、パラフィンの融点約６０℃に保たれていた。このときの外気温度は、平均すると２８℃であった。【００２１】本発明の実施例によって、疑似卵３の内部温度は、蓄熱材５を有することにより、外気温度より高くなり、常に多くの赤外線が発生することが可能になる。赤外線量は絶対温度の４乗に比例することから、疑似卵３の温度がパラフィンの融解温度のときの赤外線量は、外気温度に等しいとしたときときと比較して、約１．５倍多くなる。
（（２７３＋６０）／（２７３＋２８））＾４＝１．４９８【００２２】本発明の一実施例によれば、疑似卵３の形状、表面材質を生卵に類似させることに加えて、発熱するようにしたことにより、可視光及び赤外光を感じる蛇が疑似卵を生卵と誤解し、疑似卵に誘導される効果が期待できる。
【産業上の利用可能性】
【００２３】疑似卵によって蛇を誘導する本発明は、蛇の昇塔を防止すること以外にも、変電設備や受電設備、養鶏場、一般家屋等の周囲に本発明の疑似卵を配置することによって、蛇の侵入を防止できるメリットが期待できる。
【符号の説明】
【００４４】１：鉄塔、２：電線、３：疑似卵、４：外殻、５：蓄熱材、６：発熱素子、７：配線８：太陽光発電素子、９：巣、１０：地表
【図１】
2015198631.tif 000003
【図２】
2015198631.tif 000004